(57)【要約】【課題】製造工程を複雑にすることなく、放電によって生じた可視光を遮断することなく外部に取り出すことによりプラズマディスプレイパネルの発光効率を向上させる。【解決手段】走査電極３および維持電極４からなる表示電極対とデータ電極９とが立体交差するように前面基板１と背面基板２とを対向配置したパネルであって、走査電極３および維持電極４のそれぞれは不透明なバス電極部３Ｂ、４Ｂを有し、隔壁１０は、データ電極９の伸長方向に平行する縦隔壁１０Ａと表示電極対の伸長方向に平行する横隔壁１０Ｂとを備え、横隔壁１０Ｂの高さは縦隔壁１０Ａの高さよりも低く、横隔壁１０Ｂは、少なくともその一部が走査電極３のバス電極部３Ｂと対向するように設けられた走査電極側の横隔壁１０Ｂ３と、少なくともその一部が維持電極４のバス電極部４Ｂと対向するように設けられた維持電極側の横隔壁１０Ｂ４とを有する。【選択図】図１
2007305445.tif 000002
【特許請求の範囲】
【請求項１】
走査電極および維持電極からなる表示電極対を形成した前面基板と、データ電極および隔壁を形成した背面基板とを、前記表示電極対と前記データ電極とが立体交差するように前記前面基板と前記背面基板とを対向配置したプラズマディスプレイパネルであって、
前記走査電極および前記維持電極のそれぞれは不透明なバス電極部を有し、
前記隔壁は、前記データ電極の伸長方向に平行する縦隔壁と、前記表示電極対の伸長方向に平行する横隔壁とを備え、
前記横隔壁の高さは前記縦隔壁の高さよりも低く、
前記横隔壁は、少なくともその一部が前記走査電極のバス電極部と対向するように設けられた走査電極側の横隔壁と、少なくともその一部が前記維持電極のバス電極部と対向するように設けられた維持電極側の横隔壁とを有することを特徴とするプラズマディスプレイパネル。
【請求項２】
前記横隔壁の頂部に蛍光体層が形成されていることを特徴とする請求項１に記載のプラズマディスプレイパネル。
【請求項３】
前記前面基板には、前記走査電極および前記維持電極のそれぞれが２本ずつ交互に形成されていることを特徴とする請求項１に記載のプラズマディスプレイパネル。
【発明の詳細な説明】
【技術分野】
【０００１】
本発明は、表示装置に用いられるプラズマディスプレイパネルに関する。
【背景技術】
【０００２】
テレビ等の表示装置に用いられるプラズマディスプレイパネル（以下、「パネル」と略記する）にはいくつかの種類があるが、現在は、高精細化、大画面化に適し、製造の容易なＡＣ型かつ３電極面放電型パネルが主に商品化されている。
【０００３】
このパネルは、放電空間が形成されるように１対の基板を対向配置し、その放電空間を複数の放電セルに仕切るための隔壁を備え、各放電セルに放電を発生させるための電極群を配置するとともに赤色、緑色、青色に発光する蛍光体を設けたものである。そして、放電により発生する紫外光によってこれらの蛍光体を励起し、赤色、緑色、青色の可視光を発することによりカラー表示を行う。
【０００４】
このようなパネルは表示の応答速度が速く、視野角が広いこと、大型化が容易であること、自発光型であり表示品質が高いこと等の特徴を持っている。そして、多くの人が集まる場所での表示装置や家庭で大画面の映像を楽しむための表示装置等、各種の用途に使用されている。
【０００５】
ところで、近年はパネルのさらなる大画面化、高輝度化を実現するための開発が進められている。それにともない消費電力も大きくなることが予想されており、パネルの発光効率を今以上に高める開発も進められている。発光効率の向上については、蛍光体の特性、放電ガス、放電セルの形状、駆動回路等、様々な観点から検討されているが、例えば特許文献１には、放電によって生じた可視光を遮断することなく外部に取り出すことにより発光効率を向上させたパネルの構造が開示されている。
【特許文献１】特開２００１−１８９１３５号公報
【発明の開示】
【発明が解決しようとする課題】
【０００６】
しかしながら、上記特許文献に記載されている構造は横隔壁の幅が広くなって排気のコンダクタンスが悪くなり、前面基板と背面基板とを貼り合わせたのち内部の空気を排気するために長時間を要するので、パネルの製造工数が増加するだけでなく、製造設備が大型化し、かつそのランニングコストも高くなるという課題があった。
【０００７】
本発明はこのような課題に鑑みなされたものであり、製造工程を複雑にすることなく、放電によって生じた可視光を遮断することなく外部に取り出すことにより発光効率を向上させたパネルを供給することを目的とする。
【課題を解決するための手段】
【０００８】
この課題を解決するために本発明のパネルは、走査電極および維持電極からなる表示電極対を形成した前面基板とデータ電極および隔壁を形成した背面基板とを、表示電極対とデータ電極とが立体交差するように前面基板と背面基板とを対向配置したパネルであって、走査電極および維持電極のそれぞれは不透明なバス電極部を有し、隔壁は、データ電極の伸長方向に平行する縦隔壁と表示電極対の伸長方向に平行する横隔壁とを備え、横隔壁の高さは縦隔壁の高さよりも低く、横隔壁は、少なくともその一部が走査電極のバス電極部と対向するように設けられた走査電極側の横隔壁と、少なくともその一部が維持電極のバス電極部と対向するように設けられた維持電極側の横隔壁とを有することを特徴とする。この構成により、製造工程を複雑にすることなく、放電によって生じた可視光を遮断することなく外部に取り出すことにより発光効率を向上させたパネルを供給することができる。
【０００９】
また本発明のパネルは、横隔壁の頂部に蛍光体層が形成されていてもよい。この構成により、発光量を増やし、発光効率をさらに高めることができる。
【００１０】
また本発明のパネルの前面基板には、走査電極および維持電極のそれぞれが２本ずつ交互に形成されていてもよい。この構成により、隙間部で不要な放電が発生する可能性をなくすことができる。
【発明の効果】
【００１１】
本発明によれば、製造工程を複雑にすることなく、放電によって生じた可視光を遮断することなく外部に取り出すことにより発光効率を向上させたパネルを供給することが可能となる。
【発明を実施するための最良の形態】
【００１２】
以下、本発明の一実施の形態におけるパネルについて、図面を用いて説明するが、本発明の実施の形態はこれに一致するものに限定されるものではない。
【００１３】
（実施の形態）
図１は、本発明の一実施の形態におけるパネルの構造を示す分解斜視図である。本実施の形態におけるパネルは、ガラス製の前面基板１と背面基板２とを、その間に放電空間を形成するように対向配置することにより構成されている。前面基板１上には表示電極対を構成する走査電極３と維持電極４とが互いに平行に対をなして複数形成されている。走査電極３と維持電極４とは、それぞれ透明電極部３Ａ、４Ａと、金属材料を用いた不透明なバス電極部３Ｂ、４Ｂとから構成されている。走査電極３と維持電極４との間の、放電を発生させない部分には、黒色材料を用いたブラックストライプ層５が形成されている。そして、走査電極３、維持電極４およびブラックストライプ層５を覆うように誘電体層６が形成され、誘電体層６上には保護層７が形成されている。
【００１４】
一方、背面基板２上には絶縁体層８で覆われた複数のデータ電極９が設けられ、その絶縁体層８上には井桁状の隔壁１０が設けられている。井桁状の隔壁１０は、データ電極９の伸長方向に平行する縦隔壁１０Ａと、走査電極３および維持電極４の伸長方向に平行し、かつ縦隔壁１０Ａの高さよりも低い横隔壁１０Ｂとからなる。横隔壁１０Ｂは、少なくともその一部が走査電極３のバス電極部３Ｂと対向するように設けられた走査電極側の横隔壁１０Ｂ３と、少なくともその一部が維持電極４のバス電極部４Ｂと対向するように設けられた走査電極側の横隔壁１０Ｂ４とを有する。そして、絶縁体層８の表面、縦隔壁１０Ａの側面、横隔壁１０Ｂの側面および頂部に蛍光体層１１が形成されている。
【００１５】
前面基板１と背面基板２とは、走査電極３および維持電極４とデータ電極９とが交差するように対向配置されており、走査電極３、維持電極４とデータ電極９との交点に放電セルが形成されている。そして放電セル内部には、放電ガスとして、例えばネオンとキセノンの混合ガスが封入されている。なお、放電セルは縦隔壁１０Ａによって他の放電セルと隔離されている。
【００１６】
図２は本発明の一実施の形態におけるパネルの構造を示す電極および隔壁の配置図であり、走査電極３、維持電極４、ブラックストライプ層５、データ電極９、隔壁１０の位置関係を画面表面から見た図を示している。本実施の形態のパネルの放電セルは、縦隔壁１０Ａと横隔壁１０Ｂとで囲まれ、走査電極３および維持電極４とデータ電極９を有する。図面の縦方向に隣接する放電セルの間に横隔壁１０Ｂが２本形成され、そしてこの２本の横隔壁１０Ｂの間に隙間部２０が形成されている。ここで、走査電極側の横隔壁１０Ｂ３は走査電極３のバス電極部３Ｂと対向し、走査電極側の横隔壁１０Ｂ４は維持電極４のバス電極部４Ｂと対向している。ブラックストライプ層５は走査電極３、維持電極４のバス電極部３Ｂ、４Ｂを含む形で形成されている。走査電極３、維持電極４の透明電極部３Ａ、４Ａは、バス電極部３Ｂ、４Ｂと重なる部分から放電セルの中央にかけて形成され、放電ギャップを挟んで向かい合っている。図３は、図２のＡ−Ａ線断面図である。このように隣接する放電セルの間に横隔壁１０Ｂが２本形成され、この２本の横隔壁１０Ｂの間に隙間部２０が形成されている。また横隔壁１０Ｂは、縦隔壁１０Ａと比較して高さが低く形成されているため、図３のように、横隔壁１０Ｂと誘電体層６との間に間隙ができている。蛍光体層１１は絶縁体層８の表面から、横隔壁１０Ｂの上部を含めて形成されている。
【００１７】
図４は本発明の一実施の形態におけるパネルの電極配列図である。行方向に長いｎ本の走査電極ＳＣ１〜ＳＣｎ（図１の走査電極３）およびｎ本の維持電極ＳＵ１〜ＳＵｎ（図１の維持電極４）が配列され、列方向に長いｍ本のデータ電極Ｄ１〜Ｄｍ（図１のデータ電極９）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。本実施の形態におけるパネルは、走査電極３および維持電極４のそれぞれが２本ずつ交互にＳＣ１、ＳＵ１、ＳＵ２、ＳＣ２、ＳＣ３、ＳＵ３、・・・のように形成されているため、走査電極３と維持電極４との位置関係が、奇数行（ｉ＝２ｋ−１、ｋ＝１〜ｎ／２）の放電セルと偶数行（ｉ＝２ｋ、ｋ＝１〜ｎ／２）の放電セルとでは逆になっている。
【００１８】
次に、パネルを駆動するための駆動電圧波形とその動作について説明する。本実施の形態におけるプラズマディスプレイ装置は、１フィールドを初期化期間、書込み期間、維持期間を有する複数のサブフィールドに分割してパネルを駆動している。図５はパネルの各電極に印加する駆動電圧波形を示す図であり、図５には２つのサブフィールド（第１サブフィールドおよび第２サブフィールド）に対する駆動電圧波形を示している。
【００１９】
第１サブフィールドの初期化期間の前半部では、データ電極Ｄ１〜Ｄｍおよび維持電極ＳＵ１〜ＳＵｎを０（Ｖ）に保持し、放電開始電圧以下となる電圧Ｖｉ１（Ｖ）から放電開始電圧を超える電圧Ｖｉ２（Ｖ）に向かって緩やかに上昇するランプ電圧を走査電極ＳＣ１〜ＳＣｎに印加する。すると、すべての放電セルで１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２０】
初期化期間の後半部では、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルで２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。なお、初期化期間の前半部を省略してもよく、この場合には、直前のサブフィールドにおいて維持放電を行った放電セルを選択的に初期化する。
【００２１】
続く書込み期間では、走査電極ＳＣ１〜ＳＣｎを一旦電圧Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００２２】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２３】
続く維持期間では、走査電極ＳＣ１〜ＳＣｎに正の維持パルス電圧Ｖｓ（Ｖ）を、維持電極ＳＵ１〜ＳＵｎに接地電位、すなわち０（Ｖ）をそれぞれ印加する。このとき書込み放電を起こした放電セルでは、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００２４】
書込み期間において書込み放電が起きなかった放電セルでは維持放電は発生せず、初期化期間の終了時における壁電圧が保持される。続いて、走査電極ＳＣ１〜ＳＣｎには０（Ｖ）を、維持電極ＳＵ１〜ＳＵｎには維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２５】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００２６】
続くサブフィールドにおける初期化期間、書込み期間、維持期間の動作も第１サブフィールドにおける動作とほぼ同様のため、説明を省略する。
【００２７】
次に、本実施の形態によるパネルの特徴部分について、詳細に説明する。本実施の形態のパネルの特徴は、図１〜図３に示したように隣接する放電セルの間に横隔壁１０Ｂが２本形成され、この２本の横隔壁１０Ｂの間に隙間部２０が形成され、そして走査電極３および維持電極４のバス電極部３Ｂ、４Ｂが横隔壁１０Ｂと向かい合って配置されていることである。そして、横隔壁１０Ｂは、縦隔壁１０Ａと比較して高さが低く形成されており、横隔壁１０Ｂと誘電体層６との間に間隙ができていることである。
【００２８】
図６（ａ）は、本発明の一実施の形態におけるパネルの横隔壁１０Ｂと隙間部２０との詳細図であり、各数値は４２インチ高精細パネルの一設計例を示している。この設計例では、隣接する放電セルの間の距離は２８０μｍである。また、縦隔壁１０Ａの高さは１２０μｍ、横隔壁１０Ｂの高さは１００μｍであり、横隔壁１０Ｂと保護層７との間に２０μｍの間隙ができている。仮にこの設計例において横隔壁１０Ｂの間に隙間部２０を設けなかったと仮定すると、図６（ｂ）に示すように、隣接する放電セルの間において、横隔壁１０Ｂと保護層７との間隙が狭くなる距離が２８０μｍとなり排気コンダクタンスが小さくなってしまう。しかしながら本実施の形態においては２本の横隔壁１０Ｂの間に隙間部２０が形成されているので、図６（ａ）に示したように、横隔壁１０Ｂと保護層７との間隙が狭くなる距離が４０μｍ×２＝８０μｍとなり、排気コンダクタンスを３．５倍と大きくすることができる。
【００２９】
また横隔壁１０Ｂと保護層７との間隙によって各放電セルが連結されているので、データ電極の長手方向に隣接する放電セルからプライミング粒子が飛来し、放電が安定化するという効果もある。このプライミング粒子は、放電により発生する荷電粒子、あるいは励起原子である。本実施の形態においては、プライミング粒子は移動できるが、放電は発生することがないように、この横隔壁１０Ｂと保護層７との間隙を設計している。この間隙は５μｍ以上、４０μｍ以下に設計することが望ましい。加えて本実施の形態におけるパネルは、縦隔壁１０Ａと保護層７との間には間隙はなく、走査電極の長手方向に隣接する放電セルからはプライミング粒子が飛来し難いので、隣接セルの書込み放電の影響による誤動作を抑制する効果もある。
【００３０】
また、本実施の形態におけるパネルは、図６（ａ）に示すように、走査電極３および維持電極４のバス電極部３Ｂ、４Ｂが横隔壁１０Ｂと対向して配置されているため、バス電極部３Ｂ、４Ｂの位置では放電が起きず無駄なエネルギー消費がない。仮に、図６（ｃ）に示すように、走査電極３および維持電極４のバス電極部３Ｂ、４Ｂに対向する位置に横隔壁１０Ｂがなかったとすると、金属材料で形成されているバス電極部３Ｂ、４Ｂが光を遮断するため、バス電極部３Ｂ、４Ｂで発生した放電にともなう発光をパネル外部に取り出せなくなり、発光効率が低下する。
【００３１】
図７は発光強度の分布を示す図であり、図７（ａ）は本実施の形態のパネルにおける発光強度の分布を示し、図７（ｂ）は、図６（ｃ）に示したパネル、すなわち走査電極３および維持電極４のバス電極部３Ｂ、４Ｂに対向する位置に横隔壁１０Ｂがないパネルの発光強度の分布を示している。図６（ｃ）に示したパネルの発光強度の分布は、図７（ｂ）に示したように、放電セルの中央で大きく周辺で小さくなっているが、バス電極部３Ｂ、４Ｂでは発光を遮断し、発光強度の分布に凹みができる。この凹み部分は、放電によりエネルギーが消費されているにもかかわらず表示のための発光として利用できていない無駄な部分であり、発光効率の低下を招いている原因の１つである。
【００３２】
一方、本実施の形態におけるパネルは、図６（ａ）に示したように、走査電極３および維持電極４のバス電極部３Ｂ、４Ｂが横隔壁１０Ｂと向かい合って配置されているため、発光分布は、図７（ａ）に示したように、発光が遮断されることはない。これは、バス電極部３Ｂ、４Ｂの位置では放電が起きないためであり、無駄なエネルギーの消費がない。図７（ａ）の発光分布と図７（ｂ）の発光分布とを比較すると、図７（ａ）の発光分布は発光している領域が狭いにもかかわらず、発光量としては図７（ｂ）の発光量とほとんど同じである。これは、本実施の形態におけるパネルの発光効率が図６（ｃ）に示したパネルの発光効率よりも大きいことを表しており、この比較例においては、本実施の形態におけるパネルの発光効率が約２０％高くなった。
【００３３】
以上説明したように本実施の形態におけるパネルは、排気コンダクタンスを良好に保ちながら発光効率の高いパネルを実現することができる。
【００３４】
なお、２本の横隔壁１０Ｂの間に隙間部２０を形成すると、隙間部２０において放電が発生する可能性がある。しかしながら本実施の形態におけるパネルは、走査電極３と維持電極４との位置関係が、奇数行と偶数行とで逆になっている。すなわち、電極の並び順は、上からＳＣ１、ＳＵ１、ＳＵ２、ＳＣ２、ＳＣ３、ＳＵ３、・・・のようになっている。そのため隙間部２０の前面基板１側には２本の走査電極３が配置されているか、２本の維持電極４が配置されているかのいずれかである。したがって、初期化期間または書込み期間において走査電極３とデータ電極９との間、または維持電極４とデータ電極９との間で放電が発生することがあったとしても、維持期間において維持放電が発生することはない。
【００３５】
さらに、本実施の形態におけるパネルは、データ電極９を駆動するための消費電力を小さくできるという利点もある。データ電極９は上述したように走査電極３および維持電極４と対向して配置されているためそれらの電極との間に静電容量が存在する。そしてこの静電容量が大きいとデータ電極９を駆動するための消費電力も大きくなる。隔壁１０は、ガラス材料等の絶縁物を用いて形成され、その比誘電率は１以上であり、通常５〜１０程度である。そのためデータ電極９上に横隔壁１０Ｂを設けると、その分、データ電極９の静電容量が大きくなる。しかしながら図６（ａ）に示した本実施の形態におけるパネルは、図６（ｂ）に示したパネルと比較すると明らかにデータ電極９の静電容量が小さく、その分、データ電極９を駆動するための消費電力を小さくすることができる。
【００３６】
本実施の形態におけるパネルのもう１つの特徴として、横隔壁１０Ｂの上部に蛍光体層１１が形成されている点がある。言うまでもなく、横隔壁１０Ｂと保護層７との間に間隙が形成されているからこそ可能な構成である。上述したように横隔壁１０Ｂと保護層７との間隙で放電が発生することはないが、放電セル内の放電により発生した紫外線は横隔壁１０Ｂの上部の蛍光体層１１まで到達するので、この位置に蛍光体層１１がないパネルに比べて発光の量を増やすことができる。横隔壁１０Ｂの上部の前面基板１にはバス電極部３Ｂ、４Ｂが形成されているため、この部分での発光は直接には透過しないが、放電セル内部で反射することにより放電セルの発光量を増加させる。つまり、横隔壁１０Ｂの上部の蛍光体層１１は、放電によるエネルギー消費量に寄与しないにもかかわらず発光量を増やし、発光効率をさらに高める効果がある。
【００３７】
なお、本実施の形態の説明において用いた具体的な各数値は、単に一例をあげたに過ぎず、パネルの特性やプラズマディスプレイ装置の仕様等に合わせて、適宜最適な値に設定することが望ましい。
【産業上の利用可能性】
【００３８】
本発明によれば、製造工程を複雑にすることなく、放電によって生じた可視光を遮断することなく外部に取り出すことにより発光効率を向上させたパネルを供給することができ、表示装置に用いられるパネルとして有用である。
【図面の簡単な説明】
【００３９】
【図１】本発明の一実施の形態におけるパネルの構造を示す分解斜視図
【図２】同パネルの構造を示す電極および隔壁の配置図
【図３】図２のＡ−Ａ線断面図
【図４】本発明の一実施の形態におけるパネルの電極配列図
【図５】同パネルの各電極に印加する駆動電圧波形を示す図
【図６】（ａ）は本発明の一実施の形態におけるパネルの横隔壁と隙間部との詳細図、（ｂ）は横隔壁の間に隙間部のないパネルの詳細図、（ｃ）は走査電極および維持電極のバス電極部に対向する位置に横隔壁がないパネルの詳細図
【図７】発光強度の分布を示す図
【符号の説明】
【００４０】
１    前面基板
２    背面基板
３    走査電極
３Ａ    透明電極部
３Ｂ    バス電極部
４    維持電極
４Ａ    透明電極部
４Ｂ    バス電極部
５    ブラックストライプ層
６    誘電体層
７    保護層
８    絶縁体層
９    データ電極
１０    隔壁
１０Ａ    縦隔壁
１０Ｂ    横隔壁
１０Ｂ３    走査電極側の横隔壁
１０Ｂ４    維持電極側の横隔壁
１１    蛍光体層
２０    隙間部
【図１】
2007305445.tif 000003
【図２】
2007305445.tif 000004
【図３】
2007305445.tif 000005
【図４】
2007305445.tif 000006
【図５】
2007305445.tif 000007
【図６】
2007305445.tif 000008
【図７】
2007305445.tif 000009